(57)【要約】【課題】本発明の目的は、処理時間を短縮する情報記録媒体の記録方法、および、情報記録再生装置を提供することである。【解決手段】情報記録媒体の記録方法は、管理情報保存ステップと、管理情報を読み出すステップと、記録処理ステップとを具備する。情報記録媒体は、２層の記録層を有している。その２層の記録層のうちの光ビーム照射側に位置する第１記録層は、内周側から外周方向に情報が記録される。他方の第２記録層は、外周側から内周方向に情報が記録される。管理情報保存ステップでは、情報記録媒体の記録状態を示す管理情報が情報記録媒体の管理情報領域に記録されて保存される。管理情報を読み出すステップでは、情報記録媒体の管理情報領域から管理情報が読み出される。記録処理ステップでは、管理情報に基づいて一部の領域に対する処理を省略して記録処理が行われる。【選択図】図１１
2008041146.tif 000002
【特許請求の範囲】
【請求項１】
情報記録媒体の記録状態を示す管理情報を前記情報記録媒体の管理情報領域に記録して保存する管理情報保存ステップと、前記情報記録媒体は２層の記録層を有し、前記２層の記録層のうちの光ビーム照射側に位置する第１記録層は、内周側から外周方向に情報が記録され、他方の第２記録層は、外周側から内周方向に情報が記録され、
前記管理情報領域から前記管理情報を読み出すステップと、
前記管理情報に基づいて一部の領域に対する処理を施すことなく記録処理する記録処理ステップと
を具備する
情報記録媒体の記録方法。
【請求項２】
前記管理情報は、前記第１記録層に記録された記録済み領域の末尾位置を示す記録終了位置Ｂを含み、
前記管理情報保存ステップは、前記第１記録層においてデータ記録が可能である領域の先頭位置を示すデータ記録可能先頭位置Ａから連続的に記録したときの連続記録終了位置が、前記管理情報として登録されている前記記録終了位置Ｂより外周側であるとき、前記連続記録終了位置を前記記録終了位置Ｂとして前記管理情報に登録するステップを備える
請求項１に記載の情報記録媒体の記録方法。
【請求項３】
前記記録処理ステップは、前記第１記録層のデータ記録に引き続いて前記第２記録層にデータ記録する層間ジャンプステップを備え、
前記層間ジャンプステップは、
前記記録終了位置Ｂに基づいて、ミドルエリアの形成の手順を判定するミドルエリア判定ステップと、
前記ミドルエリア判定ステップによる判定結果に基づいて、前記第２記録層にデータ記録を行う前にミドルエリアを形成することなく、前記第２記録層にデータ記録を行った後にミドルエリアを形成する第１ミドルエリア形成ステップと、
前記ミドルエリア判定ステップによる判定結果に基づいて、前記第２記録層にデータ記録を行う前にミドルエリアを形成する第２ミドルエリア形成ステップと
を備える
請求項２に記載の情報記録媒体の記録方法。
【請求項４】
前記ミドルエリア判定ステップは、
層間ジャンプするときの前記第２記録層の記録開始位置の半径方向位置が、前記記録終了位置Ｂで示される半径方向位置よりクリアランス以上内周側に位置するとき、前記第１ミドルエリア形成ステップを選択し、
層間ジャンプするときの前記第２記録層の記録開始位置の半径方向位置が、前記記録終了位置Ｂで示される半径方向位置よりクリアランス以上内周側に位置しないとき、前記第２ミドルエリア形成ステップを選択するステップを有する
請求項３に記載の情報記録媒体の記録方法。
【請求項５】
前記管理情報は、固定的リード・アウト領域の外周側に隣接して形成される付加的リード・アウト領域の最外周側の位置を示す最外周位置Ｄを含み、前記付加的リード・アウト領域は、前記第２記録層のデータ記録が可能である領域の末尾位置を示すデータ記録可能末尾位置Ｃを最内周位置とし、
前記管理情報保存ステップは、前記付加的リード・アウト領域が前記固定的リード・アウト領域の外周側に隣接して形成されたとき、前記最外周位置Ｄを前記管理情報に登録するステップを備える
請求項１から請求項４のいずれかに記載の情報記録媒体の記録方法。
【請求項６】
前記記録処理ステップは、所定の記録可能領域内に未記録状態の部分を残さないようにするファイナライズ処理を行うファイナライズステップを備え、
前記ファイナライズステップは、前記最外周位置Ｄが登録されているとき、前記最外周位置Ｄと前記最内周位置Ｃとにより示される前記付加的リード・アウト領域を除く前記所定の記録可能領域内を前記ファイナライズ処理するステップを備える
請求項５に記載の情報記録媒体の記録方法。
【請求項７】
前記管理情報は、前記第２記録層に連続的にデータ属性の情報が記録された連続記録領域の、記録が開始された位置を示す最外周位置Ｅと、記録が終了した位置を示す最内周位置Ｆとを含み、
前記管理情報保存ステップは、前記最外周位置Ｅから前記最内周位置Ｆまでデータ属性の情報を連続的に記録し終わったとき、前記最外周位置Ｅおよび前記最内周位置Ｆを前記管理情報に登録するステップを備える
請求項１から請求項６のいずれかに記載の情報記録媒体の記録方法。
【請求項８】
前記記録処理ステップは、所定の領域にデータ属性の記録マークを形成して記録領域を確保するフォーマット処理を行うフォーマットステップを備え、
前記フォーマットステップは、前記最外周位置Ｅと前記最内周位置Ｆとが登録されているとき、前記連続記録領域を除く前記所定の領域に前記フォーマット処理を行なうステップを備える
請求項７に記載の情報記録媒体の記録方法。
【請求項９】
情報記録媒体に光ビーム照射して情報を記録再生する光ヘッドと、前記情報記録媒体は２層の記録層を有し、前記２層の記録層のうちの光ビーム照射側に位置する第１記録層は、内周側から外周方向に情報が記録され、他方の第２記録層は、外周側から内周方向に情報が記録され、
前記情報記録媒体の記録状態を示す管理情報を前記情報記録媒体の管理情報領域に前記光ヘッドを介して記録する制御部と、
前記光ヘッドから出力される再生信号に基づいて、前記管理情報領域から前記管理情報を読み出す記録状態情報読み出し部と、
前記管理情報に基づいて、一部の領域に対する処理を除いて記録処理することを決定する処理決定部と
を具備する
情報記録再生装置。
【請求項１０】
前記管理情報は、前記第１記録層に記録された記録済み領域の末尾位置を示す記録終了位置Ｂを含み、
前記制御部は、前記第１記録層においてデータ記録が可能である領域の先頭位置を示すデータ記録可能先頭位置Ａから連続的に記録したときの連続記録終了位置が、前記管理情報として登録されている前記記録終了位置Ｂより外周側であるとき、前記連続記録終了位置を前記記録終了位置Ｂとして前記管理情報に登録する
請求項９に記載の情報記録再生装置。
【請求項１１】
前記処理決定部は、前記第１記録層のデータ記録に引き続いて前記第２記録層にデータ記録する層間ジャンプを行う場合、前記記録終了位置Ｂに基づいて、前記第２記録層にデータ記録を行う前にミドルエリアを形成するか否かを決定する
請求項１０に記載の情報記録再生装置。
【請求項１２】
前記処理決定部は、
層間ジャンプするときの前記第２記録層の記録開始位置の半径方向位置が、前記記録終了位置Ｂで示される半径方向位置よりクリアランス以上内周側に位置するとき、前記ミドルエリアを形成せずに前記第２記録層にデータ記録を行うことを決定し、
層間ジャンプするときの前記第２記録層の記録開始位置の半径方向位置が、前記記録終了位置Ｂで示される半径方向位置よりクリアランス以上内周側に位置しないとき、前記ミドルエリアを形成した後、前記第２記録層にデータ記録を行うことを決定する
請求項１１に記載の情報記録再生装置。
【請求項１３】
前記管理情報は、固定的リード・アウト領域の外周側に隣接して形成される付加的リード・アウト領域の最外周側の位置を示す最外周位置Ｄを含み、前記付加的リード・アウト領域は、前記第２記録層のデータ記録が可能である領域の末尾位置を示すデータ記録可能末尾位置Ｃを最内周位置とし、
前記制御部は、前記付加的リード・アウト領域が前記固定的リード・アウト領域の外周側に隣接して形成されたとき、前記最外周位置Ｄを前記管理情報に登録する
請求項９から請求項１２のいずれかに記載の情報記録再生装置。
【請求項１４】
前記処理決定部は、所定の記録可能領域内に未記録状態の部分を残さないように所定のデータを記録するファイナライズ処理を行う場合、前記最外周位置Ｄが登録されているとき、前記最外周位置Ｄと前記最内周位置Ｃとにより示される前記付加的リード・アウト領域に前記所定のデータを記録することなく、前記ファイナライズ処理を行うことを決定する
請求項１３に記載の情報記録再生装置。
【請求項１５】
前記管理情報は、前記第２記録層に連続的にデータ属性の情報が記録された連続記録領域の、記録が開始された位置を示す最外周位置Ｅと、記録が終了した位置を示す最内周位置Ｆとを含み、
前記制御部は、前記最外周位置Ｅから前記最内周位置Ｆまでデータ属性の情報を連続的に記録し終わったとき、前記最外周位置Ｅおよび前記最内周位置Ｆを前記管理情報に登録する
請求項９から請求項１４のいずれかに記載の情報記録再生装置。
【請求項１６】
前記処理決定部は、所定の領域にデータ属性の記録マークを形成して記録領域を確保するフォーマット処理を行う場合、前記最外周位置Ｅと前記最内周位置Ｆとが登録されているとき、前記連続記録領域を除く前記所定の領域を対象として前記フォーマット処理を行うことを決定する
請求項１５に記載の情報記録再生装置。
【発明の詳細な説明】
【技術分野】
【０００１】
本発明は、高密度光ディスクの記録方法およびその記録再生装置に関する。
【背景技術】
【０００２】
記録可能な光ディスクの中には、再生専用光ディスク（以下ＲＯＭ媒体と称す）との互換性を重視したものがある。例えば、ＤＶＤ−Ｒ（Ｄｉｇｉｔａｌ  Ｖｅｒｓａｔｉｌｅ  Ｄｉｓｃ−Ｒｅｃｏｒｄａｂｌｅ）またはＤＶＤ−ＲＷ（ＤＶＤ−ＲｅＷｒｉｔａｂｌｅ）であり、最近ではＨＤ  ＤＶＤファミリにおいてもＲＯＭ媒体との互換性の高い光ディスクが議論されている。これらのディスクは、ＲＯＭ媒体との互換性を重視するため、所望のデータ記録が終了した場合、ファイナライズと呼ばれる処理を行うことが多い。ファイナライズ処理は、所定の記録領域に未記録領域がなくなるように、所定のデータを記録する処理である。ファイナライズ処理が行われると、光ディスクは、所定の記録領域に必ず記録マークが存在するＲＯＭ媒体と同様の物理構造になる。これにより記録可能な光ディスクは、再生専用光ディスクとの互換性を保つことができる。しかしながら、ファイナライズ処理を行う場合、その処理に時間がかかることが多く、ユーザにとっては大きな不満となっている。
【０００３】
一方、近年、記録可能な光ディスクの大容量化が進んでいる。その中でも記録層を１層から２層に増やすことで、記録容量を２倍にした光ディスクが出荷され始めている。記録容量の増加に伴ってファイナライズ処理にかかる時間は益々増大する傾向にあり、何らかの解決策が望まれている。
【０００４】
また、何度も繰り返し記録ができるＤＶＤ−ＲＷやＨＤ  ＤＶＤ−ＲＷでは、媒体を初期化するフォーマット処理が必要である。ファーマット処理とは簡単に言えば、実際のデータ記録の前に行われる処理であり、次に示される３処理を含む。（１）媒体の管理情報の初期化を行う。（２）媒体に必要な領域を形成する。（３）所望の記録容量（ホスト装置が要求した容量）に相当するデータ領域をデータ属性の記録セクタで埋める。このうち、（３）に示されるデータ属性の記録セクタで埋める処理は、近年の光ディスクの高密度化とともに非常に時間のかかる処理となっている。したがって、フォーマット処理もファイナライズ処理と同じように、ユーザから高速化が望まれている。
【０００５】
ここで、データ属性と言う言葉がでてきたが、記録セクタの属性に関して簡単に説明する。一般的に光ディスクの記録領域には、ユーザデータが記録されるデータ領域と、データ領域を挟むように形成される１種のガードエリアであるリード・イン領域、リード・アウト領域と、２層ディスクの場合はさらにＬ０層とＬ１層とのつなぎ目に相当するミドルエリアとが存在する。各領域に属する記録セクタは、それぞれデータ属性、リード・イン属性、リード・アウト属性、ミドルエリア属性を示す情報を有する。光ディスク装置は、これらの属性情報に基づいて、光ヘッドが光ディスクのどの領域に位置しているかを推察することができる。なお、ＨＤ  ＤＶＤ規格の場合、ＤＶＤ規格のリード・イン、リード・アウトに相当する領域をデータ・リード・イン、データ・リード・アウトと称している。
【０００６】
また、記録セクタというのは記録マークの集合体であり、ＤＶＤ系の光ディスクやＨＤ  ＤＶＤ系の光ディスクでは、１セクタは２キロバイトのデータで構成されている。その記録マークの集合体すなわち記録セクタのそれぞれにアドレスが割り振られている。各記録セクタには、アドレスのほかに上記の属性情報などが付与されている。
【０００７】
２層光ディスクでは、図１（ａ）に示されるように、通常、光照射側から見て最初の記録層はＬ０層、２番目の記録層はＬ１層と称される。Ｌ０層では、データ・リード・イン２０１側（内周側）からミドルエリア２０２側（外周側）に向かってデータが記録されていく。Ｌ１層では逆に、ミドルエリア２０３（外周側）からデータ・リード・アウト２０４側（内周側）に向かってデータが記録されていく。このような光ディスクにおいてＬ１層に情報が記録されるとき、光ビーム２００は、Ｌ０層を透過することになる。
【０００８】
図１（ａ）に示されるように、ユーザデータの記録がミドルエリア２０２、２０３の手前で折り返し、アドレスＹ’まで到達した場合、光ビーム２００がＬ０層を透過する範囲にはＬ０層の記録済み領域２０６のみ存在し、Ｌ０層の未記録領域はない。しかし、図１（ｂ）に示されるように、Ｌ０層のアドレスＹにおいてＬ１層のアドレスＹ’に記録位置を移行する場合（層間ジャンプ）、Ｌ０層のアドレスＹより内周側の領域２０６はデータが記録されているが、アドレスＹより外周側の領域２０７にはデータの記録がされていない。したがって、光ビーム２００の経路の中にＬ０層の記録済み領域２０６と未記録領域２０７とが混在することになる。光ビーム２００がＬ０層を透過する範囲にＬ０層の記録済み領域だけがあるのか、未記録領域があるのかによってＬ１層に到達する光強度が変化する。すなわち、Ｌ０層の記録状態によってＬ１層の記録感度が異なることになる。なお、Ｌ０層のアドレスＹから層間ジャンプする先のＬ１層のアドレスＹ’は、アドレスＹの補数になっている。
【０００９】
これを回避するために、例えば、現在の２層ＤＶＤ−Ｒでは、Ｌ０層に記録した後にＬ１層を記録する場合、光ビーム２００がＬ０層を透過する範囲にＬ０層の未記録領域が無くなるようにアドレスの割り付けが工夫されている。すなわち、図２（ａ）に示されるように、Ｌ０層のアドレスＹから層間ジャンプするＬ１層のアドレスＹ’の位置は、光ビーム２００がＬ０層を透過する範囲にＬ０層の未記録領域が無くなるように、アドレスＹより内周側に設定されている。したがって、ミドルエリア２１２、２１３が形成されていなくても、Ｌ１層のアドレスＹ’の位置に光ビーム２００が照射されたときに、光ビーム２００がＬ０層を透過する範囲にＬ０層の記録済み領域２０６のみが存在するようになる。しかし、ＲＯＭ媒体では、光ビーム２００が下方から入射する場合、Ｌ１層のアドレスＹ’の位置は、Ｌ１層のアドレスＹのほぼ真上に設定されている。したがって、２層ＤＶＤ−Ｒのようなアドレス割り付けは、ＲＯＭ媒体との互換性の観点から不利である。
【００１０】
現在規格が審議されている２層ＨＤ  ＤＶＤ−ＲＷの場合、アドレスの割り付けは、ＲＯＭ媒体との互換性を保つようになされている。そのため、Ｌ０層にユーザデータを記録した領域の外側に形成されるＧＡＰ部が利用されている。すなわち、図２（ｂ）に示されるように、Ｌ０層からＬ１層に記録位置が層間ジャンプするアドレスＹで示される位置の外周側に、光ビーム２００が記録マークのない場所に行かないようにするためのガード領域２１２、２１３が形成される。このガード領域２１２は、エクスパンド・ミドルエリア（Ｅｘｐａｎｄｅｄ  Ｍｉｄｄｌｅ  ａｒｅａ）、または単にミドルエリアと呼ばれ、ＲＯＭ媒体との互換性を確保する上で必要となる領域である。光ビーム２００は、Ｌ０層の記録済み領域２０６およびミドルエリア２１２を透過してＬ１層に到達することになり、Ｌ１層における記録感度に大きな変動がなくなる。
【００１１】
このとき、Ｌ０層を透過する範囲にＬ０層の記録済領域のみがあり、未記録領域がない状態で、Ｌ１に安定して記録するために必要なＧＡＰ部の長さ（半径方向）は、ＨＤ  ＤＶＤ規格ではクリアランスとして定義され、ＨＤ  ＤＶＤの場合１００μｍ程度である。これには光ディスクの偏心、２層光ディスクの製造時の貼り合わせ誤差も考慮されている。
【００１２】
Ｌ０層に記録した後にＬ１層に層間ジャンプして記録を行う場合、この１００μｍのクリアランスに対応する領域にＧＡＰ部２１２が形成され、その後にＬ１層に記録することになる。このＧＡＰ部２１２を形成している間、光ディスク装置はユーザデータを記録することはできない。ホスト装置からみると、その間Ｌ１層への記録が中断し、待機しなければならない。この待機時間も短縮化が望まれている。
【００１３】
特開２００２−２１６３６１号公報には、片面に複数の記録層を有する記録可能な光ディスクにおける層間ジャンプに関する技術が開示されている。この光ディスクの各記録層には、情報を記録可能なトラックが形成されている。このトラックは、グルーブもしくはランドからなっている。この光ディスクは、光入射側から見て、手前の記録層のデータ領域が、奥の記録層のデータ領域より広い。すなわち、光入射側から見て手前の記録層の記録可能領域の最外周の半径位置が、奥の記録層の記録可能領域の最外周の半径位置より外周側にあり、かつ、手前の記録層の記録可能領域の最内周の半径位置が、奥の記録層の記録可能領域の最内周の半径位置より内周側にある。
【００１４】
また、特開２００４−３４２１８１号公報によれば、ユーザデータを記録するデータ領域を各々有する複数の記録層を持つ情報記録媒体に対して記録を行う情報記録方法が開示されている。情報記録媒体は、各記録層におけるデータ領域の位置に関してその範囲を決定する基準となる第１の記録層と、この第１の記録層を除く第２の記録層とを持つ。この情報記録方法は、ユーザデータの記録要求に伴うデータ記録完了後、そのデータ記録完了が第１の記録層の場合には、情報記録媒体に対して１層媒体と見做す情報を第１の記録層中に記録するようにした。１層媒体と見做す情報は、情報記録媒体の第１の記録層のリード・イン領域（Ｌｅａｄ−ｉｎ  Ａｒｅａ）に記録するようにした。
【００１５】
また、特表２００５−５２９４４０号公報によれば、複数の記録層が形成された高密度マルチレイヤ光ディスクに関する技術が開示されている。高密度マルチレイヤ光ディスクは、少なくとも一つのスペア領域と、少なくとも一つの特定領域とを含む。スペア領域は、欠陥管理のために、複数の記録層それぞれに区分して割り当てられる。特定領域は、複数の記録層のうち少なくとも一つに含まれ、記録層を連係して用いるか、または、区分して用いるかを指示する管理情報を含む。この管理情報は、各記録層に区分割り当てられたリード・イン領域またはリード・アウト領域に記録管理されるディスク限定構造情報とディスク情報のいずれかまたは双方に含めて記録される。
【００１６】
【特許文献１】特開２００２−２１６３６１号公報
【特許文献２】特開２００４−３４２１８１号公報
【特許文献３】特表２００５−５２９４４０号公報
【発明の開示】
【発明が解決しようとする課題】
【００１７】
上記に記載したように、特に２層光ディスクにおいて、ファイナライズ、フォーマット、層間ジャンプにおける処理時間の短縮、および、Ｌ０層記録後のＬ１層記録へのスムーズな移行が望まれている。
本発明の目的は、処理時間を短縮する情報記録媒体の記録方法、および、情報記録再生装置を提供することである。
【課題を解決するための手段】
【００１８】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００１９】
本発明の観点では、情報記録媒体の記録方法は、管理情報保存ステップと、管理情報を読み出すステップと、記録処理ステップとを具備する。情報記録媒体（１０）は、２層の記録層を有している。その２層の記録層のうちの光ビーム照射側に位置する第１記録層（１２：Ｌ０）は、内周側から外周方向に情報が記録される。他方の第２記録層（１４：Ｌ１）は、外周側から内周方向に情報が記録される。管理情報保存ステップでは、情報記録媒体（１０）の記録状態を示す管理情報が情報記録媒体（１０）の管理情報領域に記録されて保存される。管理情報を読み出すステップでは、情報記録媒体（１０）の管理情報領域から管理情報が読み出される。記録処理ステップでは、管理情報に基づいて一部の領域に対する処理を施すことなく記録処理が行われる。
【００２０】
本発明において、管理情報は、第１記録層（Ｌ０）に記録された記録済み領域の末尾位置を示す記録終了位置Ｂを含む。管理情報保存ステップは、第１記録層（Ｌ０）に連続的に記録したときの連続記録終了位置が、管理情報として登録されている記録終了位置Ｂより外周側であるとき、連続記録終了位置を記録終了位置Ｂとして管理情報に登録するステップを備える。このときの記録の始点は、第１記録層（Ｌ０）のデータ記録が可能である領域の先頭位置を示すデータ記録可能先頭位置Ａである。
【００２１】
本発明の記録処理ステップは、第１記録層（Ｌ０）のデータ記録に引き続いて第２記録層（Ｌ１）にデータ記録する層間ジャンプステップを備える。この層間ジャンプステップは、ミドルエリア判定ステップと、第１ミドルエリア形成ステップと、第２ミドルエリア形成ステップとを備える。ミドルエリア判定ステップでは、記録終了位置Ｂに基づいて、ミドルエリアの形成の手順が判定される。第１ミドルエリア形成ステップでは、ミドルエリア判定ステップによる判定結果に基づいて、第２記録層（Ｌ１）にデータ記録を行う前にミドルエリア（１３８）を形成することなく、第２記録層（Ｌ１）にデータ記録を行った後にミドルエリア（１３８、１３９）が形成される。第２ミドルエリア形成ステップでは、ミドルエリア判定ステップによる判定結果に基づいて、第２記録層（Ｌ１）にデータ記録を行う前にミドルエリア（１３８）が形成される。
【００２２】
このミドルエリア判定ステップでは、層間ジャンプするときの第２記録層（Ｌ１）の記録開始位置（Ｇ’）の半径方向位置が、記録終了位置Ｂで示される半径方向位置よりクリアランス以上内周側に位置するとき（Ｇ＜Ｍ）、第１ミドルエリア形成ステップが選択される。また、層間ジャンプするときの第２記録層（Ｌ１）の記録開始位置（Ｇ’）の半径方向位置が、記録終了位置Ｂで示される半径方向位置よりクリアランス以上内周側に位置しないとき（Ｇ≧Ｍ）、第２ミドルエリア形成ステップが選択される。
【００２３】
本発明において、管理情報は、固定的リード・アウト領域（２０４）の外周側に隣接して形成される付加的リード・アウト領域（１１８）の最外周側の位置を示す最外周位置Ｄを含む。したがって、付加的リード・アウト領域（１１８）は、第２記録層（Ｌ１）のデータ記録が可能である領域の末尾位置を示すデータ記録可能末尾位置Ｃを最内周位置とすることになる。管理情報保存ステップでは、付加的リード・アウト領域（１１８）が固定的リード・アウト領域（２０４）の外周側に隣接して形成されたとき、この付加的リード・アウト領域（１１８）の最外周位置Ｄを管理情報に登録するステップを備える。
【００２４】
本発明の記録処理ステップは、所定の記録可能領域内に未記録状態の部分を残さないようにするファイナライズ処理を行うファイナライズステップを備える。このファイナライズステップでは、付加的リード・アウト領域（１１８）の最外周位置Ｄが管理情報に登録されているとき、最外周位置Ｄと最内周位置Ｃとにより示される付加的リード・アウト領域（１１８）はファイナライズ処理がなされた領域とみなされ、この付加的リード・アウト領域（１１８）に対するファイナライズ処理が省略され、付加的リード・アウト領域（１１８）を除く所定の記録可能領域内をファイナライズ処理する。
【００２５】
本発明において、管理情報は、第２記録層（Ｌ１）に連続的にデータ属性の情報が記録された連続記録領域（２１６、１２６）の、記録が開始された位置を示す最外周位置Ｅと、記録が終了した位置を示す最内周位置Ｆとを含む。管理情報保存ステップは、最外周位置Ｅから最内周位置Ｆまでデータ属性の情報を連続的に記録し終わったとき、最外周位置Ｅおよび最内周位置Ｆを管理情報に登録するステップを備える。
【００２６】
本発明の記録処理ステップは、所定の領域にデータ属性の記録マークを形成して記録領域を確保するフォーマット処理を行うフォーマットステップを備える。このフォーマットステップは、最外周位置Ｅと最内周位置Ｆとが登録されているとき、最外周位置Ｅから最内周位置Ｆまでの連続記録領域をフォーマット処理が既になされた領域とみなし、この連続記録領域を除く所定の領域に対してフォーマット処理を行うステップを備える。
【００２７】
本発明の他の観点では、情報記録再生装置は、光ヘッドと、制御部と、記録状態情報読み出し部と、処理決定部とを具備する。情報記録媒体（１０）は、２層の記録層を有する。その２層の記録層のうちの光ビーム照射側に位置する第１記録層（Ｌ０）は、内周側から外周方向に情報が記録される。他方の記録層である第２記録層（Ｌ１）は、外周側から内周方向に情報が記録される。光ヘッド（２０）は、情報記録媒体（１０）に光ビーム（２００）を照射して情報を記録再生する。制御部（５）は、所定の条件が満たされるとき、情報記録媒体（１０）の記録状態を示す管理情報を情報記録媒体（１０）の管理情報領域に光ヘッド（２０）を介して記録する。記録状態情報読み出し部（５５）は、光ヘッドから出力される再生信号に基づいて、管理情報領域から管理情報を読み出す。処理決定部（５６）は、管理情報に基づいて、一部の領域に対する処理を省略いて記録処理することを決定する。
【００２８】
本発明において、管理情報は、第１記録層（Ｌ０）に記録された記録済み領域の末尾位置を示す記録終了位置Ｂを含む。制御部（５）は、第１記録層（Ｌ０）において連続的に記録したときの連続記録終了位置が、管理情報として登録されている記録終了位置Ｂより外周側であるとき、連続記録終了位置を記録終了位置Ｂとして管理情報に登録する。このときの記録の始点は、第１記録層（Ｌ０）のデータ記録が可能である領域の先頭位置を示すデータ記録可能先頭位置Ａである。
【００２９】
本発明の処理決定部（５５）は、第１記録層（Ｌ０）のデータ記録に引き続いて第２記録層（Ｌ１）にデータ記録する層間ジャンプを行う場合、記録終了位置Ｂに基づいて、第２記録層（Ｌ１）にデータ記録を行う前にミドルエリア（１３８）を形成するか否かを決定する。
【００３０】
処理決定部（５５）は、層間ジャンプするときの第２記録層（Ｌ１）の記録開始位置（Ｇ’）の半径方向位置が、記録終了位置Ｂで示される半径方向位置よりクリアランス以上内周側に位置するとき（Ｇ＜Ｍ）、ミドルエリア（１３８）を形成せずに第２記録層（Ｌ１）にデータ記録を行うことを決定する。また、処理決定部（５５）は、層間ジャンプするときの第２記録層（Ｌ１）の記録開始位置（Ｇ’）の半径方向位置が、記録終了位置Ｂで示される半径方向位置よりクリアランス以上内周側に位置しないとき（Ｇ≧Ｍ）、ミドルエリア（１３８）を形成した後、第２記録層（Ｌ１）にデータ記録を行うことを決定する。
【００３１】
本発明において、管理情報は、固定的リード・アウト領域（２０４）の外周側に隣接して形成される付加的リード・アウト領域（１１８）の最外周側の位置を示す最外周位置Ｄを含む。付加的リード・アウト領域（１１８）は、第２記録層（Ｌ１）のデータ記録が可能である領域の末尾位置を示すデータ記録可能末尾位置Ｃを最内周位置とする。制御部（５）は、付加的リード・アウト領域（１１８）が固定的リード・アウト領域（２０４）の外周側に隣接して形成されたとき、この付加的リード・アウト領域（１１８）の最外周位置Ｄを管理情報に登録する。
【００３２】
本発明において、処理決定部（５６）は、所定の記録可能領域内に未記録状態の部分を残さないように所定のデータを記録するファイナライズ処理を行う場合、最外周位置Ｄが登録されているとき、最外周位置Ｄと最内周位置Ｃとにより示される付加的リード・アウト領域（１１８）をファイナライズ処理がなされた領域とみなす。この付加的リード・アウト領域（１１８）に対するファイナライズ処理は省略される。したがって、付加的リード・アウト領域（１１８）を除いた部分に所定の記データを記録するファイナライズ処理が行われる。
【００３３】
本発明において、管理情報は、第２記録層（Ｌ１）に連続的にデータ属性の情報が記録された連続記録領域（２１６、１２６）の、記録が開始された位置を示す最外周位置Ｅと、記録が終了した位置を示す最内周位置Ｆとを含む。制御部（５）は、最外周位置Ｅから最内周位置Ｆまでデータ属性の情報を連続的に記録し終わったとき、最外周位置Ｅおよび最内周位置Ｆを管理情報に登録する。
【００３４】
本発明の処理決定部（５６）は、所定の領域にデータ属性の記録マークを形成して記録領域を確保するフォーマットを行う場合、最外周位置Ｅと最内周位置Ｆとが登録されているとき、最外周位置Ｅから最内周位置Ｆまでの連続記録領域を既にフォーマット処理がなされ、記録領域として確保された領域とみなす。したがって、処理決定部（５６）は、連続記録領域に対するフォーマット処理を行わず、連続記録領域を除く所定の領域を対象としてフォーマット処理を行うことを決定する。すなわち、この連続記録領域を除いた領域に対してフォーマット処理がなされる。
【発明の効果】
【００３５】
本発明によれば、ファイナライズ、フォーマット、および、層間ジャンプの処理時間の短縮ができる情報記録媒体の記録方法、および、情報記録再生装置を提供することができる。
【００３６】
また、本発明によれば、特に２層光ディスクにおいて、Ｌ０層記録後のＬ１層記録をスムーズに移行することができる情報記録媒体の記録方法、および、情報記録再生装置を提供することができる。
【発明を実施するための最良の形態】
【００３７】
図を参照して、本発明を実施するための最良の形態を説明する。図３に、本発明の実施の形態に係る情報記録再生装置のブロック図が示される。光ディスク１０に情報を記録し、光ディスク１０から情報を再生する情報記録再生装置は、スピンドル駆動系９、光ヘッド部２０、ＲＦ回路部３０、信号比較器３、復調器４、システムコントローラ５、変調器６、ＬＤ駆動部７、サーボコントローラ８を具備する。
【００３８】
スピンドル駆動系９は、光ディスク１０を駆動する。光ヘッド部２０は、レーザダイオード（ＬＤ）２６、ビームスプリッタ２５、対物レンズ２８、受光部２２を備える。レーザダイオード（ＬＤ）２６が射出したレーザ光は、ビームスプリッタ２５により反射され、対物レンズ２８を介して光ディスク１０に照射される。光ディスク１０で反射された反射光は、対物レンズ２８で集光され、ビームスプリッタ２５を通過して受光部２２で検出される。受光部２２で検出された信号は、ＲＦ回路部３０に出力される。本実施の形態では、光ヘッド部２０は、ＬＤ波長４０５ｎｍ、ＮＡ（開口数）０．６５のものを使用した。
【００３９】
ＲＦ回路部３０は、入力された信号にフィルタリング等の処理を行い、信号比較器３と復調器４とに出力する。本実施の形態では、ＲＦ回路部３０は、ＰＲ（１２２２１）用のビタビ復号器を有する。信号比較器３は、ＲＦ回路部３０から入力される信号に基づいてトラックオフセット検出用の信号を算出し、結果をシステムコントローラ５に出力する。復調器４は、ＲＦ回路部３０から出力されるデータ列信号を復調し、システムコントローラ５に出力する。変調器６は、システムコントローラ５から供給される記録すべき信号を変調し、ＬＤ駆動部７に出力する。ＬＤ駆動部７は、変調器６から入力される変調された記録すべき信号に基づいてレーザダイオード２６を駆動し、光ディスク１０にデータを記録する。サーボコントローラ８は、光ヘッド部２０を制御するサーボ信号をコントロールする。
【００４０】
システムコントローラ５は、ホスト装置（図示せず）の指示に応答して、復調器４から復調データを取り込み、変調器６に記録すべきデータを出力する。システムコントローラ５は、信号比較器３からトラックオフセット検出用の信号を取り込んでサーボコントローラ８にトラックオフセット調整を指示し、スピンドル駆動系９とサーボコントローラ８を制御するなど、情報記録再生装置全体を統括する。また、システムコントローラ５は、記録状態情報読み出し部５５と、処理決定部５６とを備える。記録状態情報読み出し部５５は、復調データに基づいて、光ディスク１０に記録されている記録状態情報を取り出す。処理決定部５６は、記録状態情報読み出し部５５が読み出した情報に基づいて、層間ジャンプ、ファイナライズ、フォーマットの処理を決定する。
【００４１】
光ディスク１０は、図４に示されるように、積層構造を有する。円板状の基板１１にプリグルーブと呼ばれる案内溝（図示せず）が形成されている。情報記録再生装置すなわち光ディスク装置は、記録および再生時に、光ビームをこの案内溝に沿って走査することができる。この基板上に記録マークを形成することができる記録膜１２すなわちＬ０層が積層されている。Ｌ０層の上に透明な中間層１３が積層されている。その中間層１３の上に、さらに、第２の記録膜１４すなわちＬ１層が積層されている。ここでは、Ｌ０層およびＬ１層は、ともに単層のイメージで記載されているが、実際にはそれぞれ多層膜の構造になっている。この光ディスク１０の下方から光ビームが照射される。
【００４２】
本実施の形態で説明される光ディスク１０は、ポリカーボネイト製の厚さ０．６ｍｍ、直径１２ｃｍの透明な基板が使用される。物理フォーマットは、ビットピッチ０．１５μｍ、トラックピッチ０．４μｍのイン・グルーブ・フォーマットが使用される。イン・グルーブ・フォーマットとは、前述の案内溝の入射光側からみて丘（グルーブ）と溝（ランド）のうち、グルーブ部に記録を行うフォーマットのことを言う。この場合のフォーマットとは、光ディスクの物理構造のフォーマットを意味し、前述のフォーマット処理とは意味合いが異なる。フォーマット処理とは上記物理フォーマットを持つ光ディスクを論理的に使用できるように、下準備する処理のことである。
【００４３】
図５に模式的に示されるように、光ディスクの記録層は、領域に論理的に分割されて管理される。Ｌ０層は、最内周側にデータ・リード・イン（ＤＬＩ：Ｄａｔａ  Ｌｅａｄ−ｉｎ）２０１、最外周側にミドルエリア（Ｍ：Ｍｉｄｄｌｅ  ａｒｅａ）２０２を備える。データ・リード・イン２０１はリード・イン属性、ミドルエリア２０２はミドルエリア属性の記録セクタを備える。データ・リード・イン２０１とミドルエリア２０２とに挟まれる領域は、ユーザデータを記録するユーザデータ領域である。ユーザデータ領域は、データ属性の記録セクタを備え、ユーザデータが記録されていない未記録領域（ＢＺ：Ｂｌａｎｋ  ｚｏｎｅ）２０７およびユーザデータが記録された記録済み領域（ＲＺ：Ｒｚｏｎｅ）２０６に分けて管理される。さらに、ユーザデータ領域は、以前に記録されたことのある領域２２６を管理されることもある。Ｌ０層において、ユーザデータは、ユーザデータ領域の内周側から外周側に向かって記録される。
【００４４】
Ｌ１層は、最外周側にミドルエリア２０３、最内周側にデータ・リード・アウト（ＤＬＯ：Ｄａｔａ  Ｌｅａｄ−ｏｕｔ）２０４を備える。データ・リード・アウト２０４はリード・アウト属性、ミドルエリア２０３はミドルエリア属性の記録セクタを備える。ミドルエリア２０３とデータ・リード・アウト２０４とに挟まれる領域にユーザデータが記録される。このユーザデータ領域は、データ属性の記録セクタを備え、ユーザデータが記録された記録済み領域２６１およびユーザデータが記録されていない未記録領域２０９に分けて管理される。Ｌ１層において、ユーザデータは、ユーザデータ領域の外周側から内周側に向かって記録される。
【００４５】
ＨＤ  ＤＶＤの場合、Ｌ１層には、上述の固定的リード・アウト領域であるデータ・リード・アウト２０４の外周側に隣接して付加的リード・アウト領域２１８が設けられることがある。付加的リード・アウト領域２１８は、パディング領域（ＰＺ：Ｐａｄｄｉｎｇ  ｚｏｎｅ）とターミネータ領域（Ｔ：Ｔｅｒｍｉｎａｔｏｒ）とを含む。ターミネータ領域はリード・アウト属性、パディング領域はリード・アウト属性とデータ属性とが混在する領域である。この付加的リード・アウト領域２１８は、一例である。ＨＤ  ＤＶＤ−ＲＷは、何度でもフォーマットして使用できるため、必ずしも図５に示されるような形態になるとは限らない。付加的リード・アウト領域２１８としては、固定的リード・アウト領域２０４から連続的につながるリード・アウト属性とデータ属性のみを含む記録領域と考えるのが適当である。
【００４６】
また、データ・リード・イン２０１／データ・リード・アウト２０４とミドルエリア２０２、２０３とに挟まれる領域に、エクスパンド・ミドルエリア（Ｅｘｐａｎｄｅｄ  Ｍｉｄｄｌｅ  ａｒｅａ）が形成されることもある。エクスパンド・ミドルエリアは、ミドルエリア属性の記録セクタを備え、上述のミドルエリア２０２、２０３と同じように、エクスパンド・ミドルエリアが検出されるまでのＬ０層のユーザデータ領域の終点を示し、Ｌ１層のユーザデータ領域の始点を示す。すなわち、ユーザデータの記録がＬ０層からＬ１層に移行することを示している。ミドルエリアの本来の役割は、光ビームが記録マークのない場所に行かないようにするためのガード的なものである。すなわち、光ディスクの再生専用装置において、Ｌ０層のユーザデータ領域の終点まで再生し、その後層間ジャンプを行い、Ｌ１層のユーザデータ領域の始点から再生を続行するときに、光ビーム２００が記録マークのない場所に行かないようにするための領域である。再生専用装置は、トラッキング方式に記録マークの信号を使用しており、記録マークのないところに光ビームが行ってしまうとトラッキングサーボが機能しなくなり、暴走する恐れがあるためである。
【００４７】
本発明を説明する上で主要な位置に符号を付与し、以下その符号により説明する。データ・リード・インの外周側に隣接する位置をアドレスＡとする。アドレスＡはＬ０層のデータ記録可能先頭位置を示す。アドレスＡから連続的に記録された記録済み領域の記録終了位置は、アドレスＢとして示される。アドレスＢは、アドレスＡから連続的に記録されると、その記録終了位置と比較され、より外周側のアドレスがアドレスＢとして登録される。Ｌ０層のミドルエリア２０２の内周側に隣接するＬ０層のデータ記録可能末尾位置は、アドレスＨとして示される。アドレスＨに対応するＬ１層の位置、すなわちＬ１層のミドルエリア２０３の内周側に隣接するＬ１層のデータ記録可能先頭位置は、アドレスＨ’として示される。データ・リード・イン２０１／データ・リード・アウト２０４とミドルエリア２０２／２０３との間にエクスパンド・ミドルエリアが形成される場合、最も内周側に形成されたエクスパンド・ミドルエリアの内周側に隣接するＬ１層のデータ記録可能先頭位置は、アドレスＥとして示される。エクスパンド・ミドルエリアが形成されていない場合、アドレスＥはアドレスＨ’を示す。
【００４８】
データ・リード・アウト２０４の外周側に隣接するＬ１層のデータ記録可能末尾位置は、アドレスＣとして示される。アドレスＣは、光ディスク１０にユーザデータを記録できる最終位置を示す。アドレスＣから外周側に形成される付加的リード・アウト領域２１８の最も外周側の位置は、アドレスＤとして示される。Ｌ１層のデータ記録可能先頭位置であるアドレスＥから連続的にデータ属性の記録セクタで埋められた領域２１６の最も内周側の位置は、アドレスＦとして示される。
【００４９】
また、ユーザデータ領域にユーザデータを記録したその時点の最終アドレスは、アドレスＹとして示される。アドレスＧは、ホスト装置から指示されて、Ｌ０層からＬ１層に記録位置が層間移動する位置を示す。したがって、層間ジャンプの位置は、Ｌ０層ではアドレスＧ、Ｌ１層ではアドレスＧ’となる。
【００５０】
アドレスＹは、光ディスク１０の管理情報として従来から登録されている。本発明では、さらに、アドレスＢ、アドレスＤ、アドレスＥ、アドレスＦが管理情報として光ディスク１０の管理情報領域に登録される。アドレスＢは、Ｌ０層のユーザデータ記録に伴って更新される。アドレスＤは、付加的リード・アウト領域が形成されると更新される。アドレスＥ、Ｆは、Ｌ１層のユーザデータの記録に伴って更新される。データ・リード・イン領域２０１に確保されている管理情報領域は、２キロバイトごとのフィールドに分割され、様々な管理情報を保持する。管理情報領域では、３２フィールドでブロックという単位が構成される。本実施の形態では、３２フィールドのうちの３番目のフィールド（Ｆｉｅｌｄ３）に、図６に示されるように、管理情報が登録される。３番目のフィールドの３６バイト目から３９バイト目までの４バイトにアドレスＤが格納される。４０バイト目から４３バイト目までの４バイトにアドレスＢが格納される。４４バイト目から４７バイト目までの４バイトにアドレスＦが格納される。４８バイト目から５１バイト目までの４バイトにアドレスＥが格納される。このフィールドにはその他にも管理情報が格納されているが、本発明と直接関係しないので、説明を省略する。
【００５１】
図７および図８を参照して、光ディスク装置のファイナライズ時の動作が説明される。ＨＤ  ＤＶＤ−ＲＷのような書き換え可能な光ディスクの場合、何度も使用する可能性があり、すでにディスクに記録マークが形成されている可能性が非常に高い。したがって、ＨＤ  ＤＶＤの場合、Ｌ１層のデータ記録可能終了位置（アドレスＣ）の内周側に形成される固定的リード・アウト領域２０４の外周側に隣接するデータ記録可能領域に付加的リード・アウト領域１１８が形成される可能性も高い。この付加的リード・アウト領域１１８を利用してファイナライズが行われる。
【００５２】
図７に示されるように、光ディスク装置に光ディスク１０が装填されると（ステップＳ１０）、記録状態情報読み出し部５５は、データ・リード・イン２０１の内部に形成されている管理情報領域から管理情報を読み出す（ステップＳ１２）。このとき、光ディスク１０は、図８（ａ）に示されるように、最新の記録は、Ｌ０層のアドレスＡからアドレスＹまでの領域１１２に行われていたものとする。また、アドレスＤからアドレスＣまでは付加的リード・アウト領域１１８になっており、アドレスＹからアドレスＨまでの領域１１４およびアドレスＥからアドレスＤまでの領域１１６は、未記録領域である。
【００５３】
光ディスク装置は、ホスト装置からファイナライズの指示を受けると（ステップＳ１４）、ファイナライズ処理を開始する。すなわち、処理決定部５６は、管理情報として保持される付加的リード・アウト領域１１８の最外周位置であるアドレスＤを参照し、アドレスＤが登録されている場合、アドレスＹからアドレスＤまでの領域をファイナライズ処理する（ステップＳ１６）。したがって、図８（ｂ）に示されるように、アドレスＹからアドレスＨまでの領域１１４−１およびアドレスＥからアドレスＤまでの領域１１６−１は、所定のデータが記録され、ファイナライズ済みの領域になる。通常、ファイナライズ時に新たにパディングする場合、リード・アウト属性で埋める。その後、光ディスク装置は、光ディスク１０の管理情報領域にファイナライズ済みの情報を登録し、光ディスク１０のファイナライズが完了する（ステップＳ１８）。
【００５４】
このようにファイナライズ処理の対象領域からアドレスＤからアドレスＣまでの付加的リード・アウト領域１１８を除外することにより、付加的リード・アウト領域１１８に所定のデータを記録する時間を短縮することができる。なお、このとき、アドレスＤとしてアドレスＥが登録され、次にファイナライズ処理が行われるとき、Ｌ１層のファイナライズ処理が必要の無いことを示す。また、アドレスＹが、Ｌ１層のアドレスであった場合、アドレスＤとしてアドレスＹが登録される。
【００５５】
実際に、本発明の情報記録再生装置に光ディスクを装填してファイナライズ処理を行うと、ファイナライズ時間は５分程度であった。従来の情報記録再生装置に同じ光ディスクを装填した場合、ファイナライズ時間は３０分程度で非常に長かった。これはアドレスＤからアドレスＣまでをリード・アウト属性の記録セクタで再記録したためである。つまり、本発明によりファイナライズ処理時間を大幅に短縮することができる。
【００５６】
次に、図９、図１０を参照して、光ディスク装置のフォーマット時の動作が説明される。ＨＤ  ＤＶＤ−ＲＷのような書き換え可能な光ディスクの場合、使用された光ディスクを再度フォーマットして使用するケースが考えられる。その際、ディスク内のある領域はすでに記録されていることが多いが、従来は再フォーマットすると、どこまで記録領域があるかなどのデータも一緒に失われてしまっていた。フォーマット処理とは先にも述べたが、実際のデータ記録を行う前に、管理情報の初期化や、必要な領域の形成、所望の記録容量（ホスト装置が要求した容量）に相当するデータ領域をデータ属性の記録セクタで埋める等の作業を行う処理である。
【００５７】
図９に示されるように、光ディスク装置に光ディスク１０が装填されると（ステップＳ２０）、記録状態情報読み出し部５５は、データ・リード・イン２０１の内部に形成されている管理情報領域から管理情報を読み出す（ステップＳ２２）。このとき、光ディスク１０は、図１０（ａ）に示されるように、最新の記録は、Ｌ０層のアドレスＡからアドレスＹまでの領域１２２に行われていたものとする。また、Ｌ１層のアドレスＦからアドレスＣまでの領域１２８は、記録済み領域あるいは未記録領域である。図１０（ａ）では、この領域は、ターミネータ領域（Ｔ）、付加的リード・アウト領域（Ｔ／ＰＺ）などが混在する領域として示されている。
【００５８】
光ディスク装置は、ホスト装置からフォーマットの指示を受けると（ステップＳ２４）、フォーマット処理を開始する。すなわち、処理決定部５６は、管理情報として保持されるアドレスＦおよびアドレスＹを参照してフォーマット処理する領域を決定する。アドレスＦは、Ｌ１層において、アドレスＥから連続的にユーザデータが記録された領域の最内周位置を示している。したがって、アドレスＥからアドレスＦまでの領域１２６は、フォーマット処理をしなくても各記録セクタはデータ属性が設定されているため、フォーマット処理の対象領域から除外される。
【００５９】
アドレスＹがＬ０層のアドレスを示すとき（ステップＳ２６−Ｌ０）、アドレスＡからアドレスＹまでの領域１２２は、ユーザデータが記録されるデータ属性の記録セクタで埋められている。この領域１２２は、フォーマット処理の対象領域から除外される。アドレスＹからミドルエリア２０２の内周側のアドレスＨまでの領域１２４は、未記録領域あるいはデータ属性ではない属性が設定されている記録セクタで埋められている可能性が高い。したがって、光ディスク装置は、アドレスＹからアドレスＨまでの領域１２４をフォーマット処理する（ステップＳ２８）。その後、Ｌ１層のフォーマット処理に移行する。
【００６０】
アドレスＹがＬ１層のアドレスを示すとき（ステップＳ２６−Ｌ１）、アドレスＹは、アドレスＦとして登録されている。アドレスＹがＬ０のアドレスを示すときは、アドレスＦは、以前の記録において、データ属性が連続している領域の最内周アドレスを示している。したがって、Ｌ１層のアドレスＥからアドレスＦまでの領域１２６は、データ属性の記録セクタが連続している領域であり、フォーマット処理の対象領域から除外してもよい。したがって、光ディスク装置は、アドレスＦからアドレスＣまでの領域１２８をフォーマット処理する（ステップＳ３０）。
【００６１】
このフォーマット処理によって、光ディスク１０は、図１０（ｂ）に示されるように、Ｌ０層のアドレスＹからアドレスＨまでの領域はフォーマット済みの領域１２４−１に、Ｌ１層のアドレスＦからアドレスＣまでの領域はフォーマット済みの領域１２８−１に設定される。すなわち、Ｌ０層のユーザデータ領域であるアドレスＡからアドレスＨまでの領域と、Ｌ１層のユーザデータ領域であるアドレスＥからアドレスＣまでの領域とは、データ属性の記録セクタが連続する領域になる。Ｌ０層およびＬ１層の所定の領域の記録セクタをデータ属性に設定すると、光ディスク装置は、光ディスク１０の管理情報領域にフォーマット済みの情報を登録して、光ディスク１０のフォーマットが完了する（ステップＳ３２）。
【００６２】
実際に、本発明の情報記録再生装置に光ディスクを装填してフォーマットすると、フォーマット時間は３０分程度であった。従来の情報記録再生装置に同じディスクを装填してフォーマットすると、フォーマット時間は６０分程度かかり非常に長かった。アドレスＥからアドレスＦまでを再記録したためである。つまり、本発明によりフォーマット処理時間を大幅に短縮できたことが分かる。
【００６３】
このように、データ属性の記録セクタが連続していることが明らかな領域（１２２、１２６）をフォーマット処理から除外することにより、フォーマットの処理時間を短縮することができる。このとき、アドレスＦとしてアドレスＣが登録され、アドレスＹとしてアドレスＡが登録される。すなわち、Ｌ０層およびＬ１層の記録セクタは、全て新たなユーザデータを記録できるようになる。
【００６４】
図１１、図１２を参照して、光ディスク装置のＬ０層記録からＬ１層記録へのスムーズな移行動作が説明される。ＨＤ  ＤＶＤ−ＲＷのような書き換え可能な光ディスクの場合、何度も使用する可能性があり、すでに光ディスク１０に記録マークが形成されている可能性が非常に高い。したがって、管理情報領域に、Ｌ０層のデータ記録可能先頭位置（アドレスＡ）から連続的に記録された記録領域の記録終了位置（アドレスＢ）の情報が保存され、層間ジャンプ処理の際に利用する。
【００６５】
図１１に示されるように、光ディスク装置に光ディスク１０が装填されると（ステップＳ４０）、記録状態情報読み出し部５５は、データ・リード・イン２０１の内部に形成されている管理情報領域から管理情報を読み出す（ステップＳ４２）。このとき、光ディスク１０は、Ｌ０層のアドレスＡからアドレスＢまでの領域１３２が記録済みの状態になっているものとする。処理決定部５６は、記録状態情報読み出し部５５が読み出した管理情報に含まれるアドレスＢに基づいて、Ｌ０層記録後直ちにＬ１層記録が可能となるＬ０層のアドレスＭを算出する。クリアランスのサイズ（１００μｍ）および１セクタ当たりの長さがわかれば、アドレスＢからアドレスＭの算出は容易である（ステップＳ４４）。
【００６６】
ホスト装置は、アドレスＡからアドレスＧまでＬ０層にユーザデータを記録し、その後Ｌ1層に層間ジャンプしてアドレスＧ’からＬ１層のデータ記録可能領域の末尾位置を示すアドレスＣまで記録するように指示する（ステップＳ４６）。光ディスク装置は、層間ジャンプを含むユーザデータの記録の指示をホスト装置から受けると、図１２（ａ）に示されるように、Ｌ０層のアドレスＡから記録を開始する。Ｌ０層は、以前に連続的に記録され、アドレスＢまで記録済み領域になっている。したがって、光ディスク装置は、記録済み領域に新しいユーザデータをアドレスＧまでの領域１３４に上書きしていくことになる（ステップＳ４８）。
【００６７】
図１２（ａ）に示されるように、アドレスＭがアドレスＧよりも外周側に位置する場合、すなわち、アドレスＧ＜アドレスＭの場合、Ｌ１層の移行先アドレスＧ’の位置に光ビーム２００を照射したとき、その経路にはＬ０層の記録済み領域しか無いため、Ｌ０層のアドレスＧの外周側にＧＡＰ部を形成する必要がない。したがって、処理決定部５６は、図１２（ｂ）に示されるように、Ｌ０層の記録からＬ１層の記録に直ちに移行するように指示する（ステップＳ５０−ＹＥＳ）。これによって、スムーズなＬ１層の記録への移行が実現され、ホスト装置がＬ１層の記録を一時中断するという事態を多くの場合で防ぐことができる。
【００６８】
その後、光ディスク装置は、Ｌ１層のデータ記録可能領域の末尾位置を示すアドレスＣまで記録してユーザデータの記録を終了する（ステップＳ５２）。その後、アドレスＧ、Ｇ’の外周側にギャップ部であるエクスパンド・ミドルエリア１３８、１３９が形成され、ＲＯＭ媒体との互換性が確保される。
【００６９】
一方、アドレスＭがアドレスＧより内周側に位置する場合、すなわち、アドレスＧ≧アドレスＭの場合、クリアランスが確保されていない。したがって、Ｌ１層の移行先アドレスＧ’の位置に光ビーム２００を照射したときに、その経路にはＬ０層の未記録領域が一部含まれる。そのため、Ｌ０層のアドレスＧの外周側にＧＡＰ部を形成する必要がある。したがって、処理決定部５６は、アドレスＧの外周側にミドルエリアの形成を指示する（ステップＳ５０−ＮＯ）。エクスパンド・ミドルエリア１３８が形成される。このとき、クリアランスに不足する分だけアドレスＢから外周側に記録するようにしてもよい（ステップＳ６０）。
【００７０】
クリアランスが確保できると、Ｌ１層の記録がアドレスＧ’から開始される。光ディスク装置は、Ｌ１層のデータ記録可能領域の末尾位置を示すアドレスＣまでの領域１３６にユーザデータを記録する（ステップＳ５２）。その後、光ディスク装置は、アドレスＧ’の外周側にギャップ部であるエクスパンド・ミドルエリア１３９を形成してＲＯＭ媒体との互換性を確保する（ステップＳ５４）。
【００７１】
層間ジャンプ処理によって、光ディスク１０は、図１２（ｃ）に示されるように、Ｌ０層のアドレスＡからアドレスＧまでの領域１３４と、Ｌ１層のアドレスＧ’からアドレスＣまでの領域１３６とは、ユーザデータが記録された記録済み領域になる。また、アドレスＧ、Ｇ’の外周側にギャップ部であるエクスパンド・ミドルエリア１３８、１３９が形成され、ＲＯＭ媒体との互換性が確保される。光ディスク装置は、光ディスク１０の管理情報領域に層間移行の処理済みの情報を登録して、光ディスク１０のユーザデータ記録が完了する（ステップＳ５８）。
【００７２】
上述のように、アドレスＧ＜アドレスＭの場合、Ｌ０層のミドルエリア１３８を形成することなくＬ１層の記録を開始することができ、スムーズにＬ０層からＬ１層の記録に移行することができる。また、層間ジャンプ処理の処理時間を短縮することもできる。また、アドレスＧ≧アドレスＭの場合、エクスパンド・ミドルエリア１３８は、クリアランスの不足分だけを形成してもよく、処理時間を短縮することができる。また、ユーザデータの記録中は、クリアランスに不足する領域に何らかのデータを記録してＬ１層のユーザデータ記録を行い、ユーザデータが記録し終わった後、エクスパンド・ミドルエリア１３８を形成するようにしてもよい。
【００７３】
この場合、Ｌ０層のアドレスは外周側に行くほど大きくなる場合を想定しており、その逆の配置ならば、上記の条件判定のアドレスＧとアドレスＭの大小関係は逆となる。また、アドレスＡからアドレスＢまでの領域には記録マークがあればよく、記録セクタの属性は問わない。
【００７４】
実際に、本発明の情報記録再生装置に光ディスクを装填して層間ジャンプを含む記録を行うと、アドレスＧからアドレスＧ’へのスムーズ記録を行い、ホスト装置を待たせることなくすべての記録を終了した。従来の情報記録再生装置に同じ光ディスクを装填した場合、アドレスＧまで記録した後に、従来の情報記録再生装置がホスト装置にビジーを返し、一時ユーザデータ記録を中断した。ホスト装置側にデータバッファがなければ、中断した時間のデータは消失し、良好な記録は達成されないこととなる。つまり、本発明によりホスト装置の負荷を減らすことができる。
【００７５】
上述の動作では、管理情報領域から管理情報を読み出して、ホスト装置からの指示を待つように説明されたが、その間に他の記録、消去などの指示があることも想定される。したがって、光ディスク１０から読み出した管理情報は、システムコントローラ５に内蔵されるメモリなどに保持し、管理情報の更新を適宜行うことが好ましい。その場合、アドレスＭの算出等は、ホスト装置から処理の指示を受けた後に行うことになる。このように、光ディスク装置に管理情報を保持することにより、ホスト装置から指示されてから光ディスク１０を再度アクセスするよりアクセス時間を短縮することができる。
【００７６】
また、本発明は波長４０５ｎｍ、ＮＡ０．６５に限定されることなく、あらゆる波長、およびＮＡに適応可能である。また、上記では、ＰＲ（１２２２１）というクラスを使用したがＰＲ（１２２１）など他のクラスでも同様に使用することができる。さらに、ＰＲＭＬを使用した場合について記載したが、ＰＲＭＬを使用しない系でも同様に使用することができる。
【００７７】
また、光ディスクの物理フォーマットは、上記実施例ではイン・グルーブ・フォーマットを使用した場合について記載したが、グルーブとランドの両方に記録を行うランド・グルーブ・フォーマットなど他の物理フォーマットでも使用することができる。
【図面の簡単な説明】
【００７８】
【図１】２層光ディスクにおける光ビームとアドレスとの関係を説明する図である。
【図２】２層光ディスクにおける光ビームとアドレスとの関係を説明する図である。
【図３】本発明の実施の形態に係る情報記録再生装置の概略構成を示す図である。
【図４】同２層光ディスクの構成を示す図である。
【図５】同光ディスクのアドレス配置の一例を示す図である。
【図６】同管理情報の一例を示す図である。
【図７】同ファイナライズの処理手順を示すフローチャートである。
【図８】同ファイナライズにおける光ディスクのアドレス配置の一例を示す図である。
【図９】同フォーマットの処理手順を示すフローチャートである。
【図１０】同フォーマットにおける光ディスクのアドレス配置の一例を示す図である。
【図１１】同層間ジャンプの処理手順を示すフローチャートである。
【図１２】同層間ジャンプにおける光ディスクのアドレス配置の一例を示す図である。
【符号の説明】
【００７９】
３  信号比較器
４  復調器
５  システムコントローラ
６  変調器
７  ＬＤ駆動系
８  サーボコントローラ
９  スピンドル駆動系
１０  光ディスク
１１  基板
１２  Ｌ０記録層
１３  中間層
１４  Ｌ１記録層
２０  光ヘッド部
２２  光検出器
２５  スプリッタ
２６  レーザダイオード
２８  対物レンズ
３０  ＲＦ回路
５５  記録状態情報読み出し部
５６  処理決定部
１１２  記録済み領域
１１４、１１４−１  Ｌ０層のファイナライズ領域
１１６、１１６−１  Ｌ１層のファイナライズ領域
１１８  付加的リード・アウト領域
１２２  記録済み領域
１２４、１２４−１  Ｌ０層のフォーマット領域
１２６  記録済み領域
１２８、１２８−１  Ｌ１層のフォーマット領域
１３２、１３４  Ｌ０層の記録済み領域
１３６  Ｌ１層の記録済み領域
１３８、１３９  エクスパンド・ミドルエリア
２００  光ビーム
２０１  データ・リード・イン
２０２、２０３  ミドルエリア
２０４  データ・リード・アウト
２０６  Ｌ０層の記録済み領域
２０７  Ｌ０層の未記録領域
２０８  Ｌ１層の記録済み領域
２０９  Ｌ１層の未記録領域
２１２、２１３、２１２−１、２１３−１  エクスパンド・ミドルエリア
２１６、２２６  記録済み領域
２１８  付加的リード・アウト領域
２２１  ターミネータ領域
【図１】
2008041146.tif 000003
【図２】
2008041146.tif 000004
【図３】
2008041146.tif 000005
【図４】
2008041146.tif 000006
【図５】
2008041146.tif 000007
【図６】
2008041146.tif 000008
【図７】
2008041146.tif 000009
【図８】
2008041146.tif 000010
【図９】
2008041146.tif 000011
【図１０】
2008041146.tif 000012
【図１１】
2008041146.tif 000013
【図１２】
2008041146.tif 000014